(57)【要約】携帯端末用発光アクセサリー及び携帯端末用アクセサリー発光システムであって、携帯端末に着脱可能に結合されて外部の信号、携帯端末の位置などに応じて携帯端末のフラッシュの光を利用して発光する携帯端末用発光アクセサリー及び携帯端末用アクセサリー発光システムに関する。携帯端末に着脱可能に結合されて携帯端末の背面に形成されているフラッシュを覆う固定部と、前記固定部から前記フラッシュの光が伝達されて光る発光部を備える。【選択図】図３
2017525315.tif 000002
【特許請求の範囲】
【請求項１】
携帯端末に着脱可能に結合されて携帯端末の背面に形成されているフラッシュを覆う固定部と、
前記固定部から前記フラッシュの光が伝達されて光る発光部を備える
ことを特徴とする携帯端末用発光アクセサリー。
【請求項２】
前記固定部は、
前記フラッシュを覆う第１の固定部と、
前記第１の固定部と一体に形成されて前記携帯端末を覆うように折り曲げられて形成され前記携帯端末の正面の一部を覆って前記第１の固定部とともに前記携帯端末を弾性的に加圧する第２の固定部と、から成り、
前記発光部は、前記固定部から突出形成される
請求項１に記載の携帯端末用発光アクセサリー。
【請求項３】
前記固定部と発光部は一体に形成されて前記携帯端末を覆うように折り曲げられて形成され、
前記発光部は前記携帯端末の正面の一部を覆って前記固定部とともに前記携帯端末を弾性的に加圧する
請求項１に記載の携帯端末用発光アクセサリー。
【請求項４】
前記発光部に取り付けられる広告部を備える
請求項１に記載の携帯端末用発光アクセサリー。
【請求項５】
携帯端末に着脱可能に結合されて携帯端末の背面に形成されているフラッシュを覆う固定部と、前記固定部から前記フラッシュの光が伝達されて光る発光部を備える携帯端末用発光アクセサリーの発光システムであって、
外部の信号を感知する信号感知部と、
前記信号感知部が前記信号を感知すると前記フラッシュを作動させる制御部と、
前記フラッシュの作動に応じて光る発光アクセサリーを備える
ことを特徴とする携帯端末用アクセサリー発光システム。
【請求項６】
前記信号感知部は、指定された場所に予め設けられている通信装置と無線接続されて情報を送受信する近距離無線通信モジュールであり、
前記携帯端末が前記通信装置と近距離無線通信モジュールの接続可能範囲内に進入すると、前記フラッシュが作動されて前記発光アクセサリーが光る
請求項５に記載の携帯端末用アクセサリー発光システム。
【請求項７】
前記近距離無線通信モジュールはビーコンモジュールまたはワイファイ通信モジュールである
請求項６に記載の携帯端末用アクセサリー発光システム。
【請求項８】
前記信号感知部はＧＰＳ受信モジュールであり、
前記携帯端末が予め指定された位置に到達すると、前記フラッシュが作動されて前記発光アクセサリーが光る
請求項５に記載の携帯端末用アクセサリー発光システム。
【請求項９】
携帯端末に着脱可能に結合されて携帯端末の背面に形成されているフラッシュを覆う固定部と、前記固定部から前記フラッシュの光が伝達されて光る発光部を備える携帯端末用発光アクセサリーの発光システムであって、
前記携帯端末に設けられている応用ソフトウェアと連動して前記フラッシュを作動させる制御部と、前記フラッシュの作動に応じて光る発光アクセサリーを備える
ことを特徴とする携帯端末用アクセサリー発光システム。
【請求項１０】
前記応用ソフトウェアはアラムまたは携帯端末状態情報報知ソフトウェアであり、
前記制御部はアラム設定または携帯端末状態情報に応じて前記フラッシュを作動させる
請求項９に記載の携帯端末用アクセサリー発光システム。
【請求項１１】
前記応用ソフトウェアは音楽再生ソフトウェアまたはゲームであり、
前記制御部は携帯端末から再生される音楽やゲーム状況に合わせてフラッシュを点滅させる
請求項９に記載の携帯端末用アクセサリー発光システム。
【請求項１２】
前記制御部は、前記フラッシュの点滅速度を調節して前記発光アクセサリーの発光パターンを変更する
請求項５または９に記載の携帯端末用アクセサリー発光システム。
【発明の詳細な説明】
【技術分野】
【０００１】
本発明は、携帯端末用発光アクセサリー及び携帯端末用アクセサリー発光システムであって、携帯端末に着脱可能に結合されて外部の信号、携帯端末の位置などに応じて携帯端末のフラッシュの光を利用して発光する携帯端末用発光アクセサリー及び携帯端末用アクセサリー発光システムに関する。
【背景技術】
【０００２】
スマートフォンのような携帯端末は、音声通信機能の他にも無線インターネット、写真撮影、ゲームなど実生活に様々に利用されている。このような携帯端末とともに携帯端末に関する様々なアクセサリーも発売されている。代表的なものとして、携帯端末を保護するための保護ケースがある。
【０００３】
携帯端末保護ケースの他に、下記の特許文献には携帯端末アクセサリーが開示されている。図１は従来の携帯端末アクセサリーの使用状態を示した斜視図であり、図２は従来の携帯端末アクセサリーの構造を示す分解斜視図である。従来の携帯端末アクセサリーは、携帯端末のイヤホン連結部に衝撃が加えられたり揺れる場合、光が発光されるものであって携帯端末の美観を良好にし携帯端末の外観をユーザの趣向によって様々に飾るように考案されたものである。
このような従来の携帯端末アクセサリーは、携帯端末２００のイヤホン連結部に差し込んで使用できるように胴体１０２の下部にイヤホン連結具１０４が形成されており、胴体１０２の内側部には衝撃や揺れによって光が発光するようＬＥＤ２４が備えられている。また、胴体１０２の内側部にはＰＣＢ基板１８及び複数のバッテリー２２が設けられている。
【０００４】
しかし、従来の携帯端末アクセサリーは発光機能のために胴体１０２の内部にＬＥＤ２４、ＰＣＢ基板１８及びバッテリー２２が設けられなければならないので、構造が複雑で且つ生産費用が増える問題点がある。
【先行技術文献】
【特許文献】
【０００５】
【特許文献１】大韓民国公開実用新案第２０−２０１３−０００７３４４号公報
【発明の概要】
【発明が解決しようとする課題】
【０００６】
本発明は、前述した問題点を解決するためのものであって、別途の光源及び電源を必要とせず、簡単な構造の携帯端末用発光アクセサリーを提供することを課題とする。
【課題を解決するための手段】
【０００７】
上記の目的を達成するための本発明に係る携帯端末用発光アクセサリーは、携帯端末に着脱可能に結合されて携帯端末の背面に形成されているフラッシュ（ｆｌａｓｈ）を覆う固定部と、及び前記固定部から前記フラッシュの光が伝達されて光る発光部を含んで成る。
【０００８】
また前記固定部は、前記フラッシュを覆う第１の固定部と、前記第１の固定部と一体に形成されて前記携帯端末を覆うように折り曲げられて形成され、前記携帯端末の正面の一部を覆って前記第１の固定部とともに前記携帯端末を弾性的に加圧する第２の固定部とから成り、前記発光部は前記固定部から突出形成される。
【０００９】
また、前記固定部と発光部は一体に形成されて前記携帯端末を覆うように折り曲げられて形成され、前記発光部は前記携帯端末の正面の一部を覆って前記固定部とともに前記携帯端末を弾性的に加圧することができる。
【００１０】
また、本発明の携帯端末用発光アクセサリーは、前記発光部に取り付けられる広告部をさらに含んで成る。
【００１１】
一方、本発明の携帯端末用アクセサリー発光システムは、携帯端末に着脱可能に結合されて携帯端末の背面に形成されているフラッシュを覆う固定部と前記固定部から前記フラッシュの光が伝達されて光る発光部を含む携帯端末用発光アクセサリーの発光システムであって、外部の信号を感知する信号感知部と、前記信号感知部が前記信号を感知すると前記フラッシュを作動させる制御部と、及び前記フラッシュの作動に応じて光る発光アクセサリーから成る。
【００１２】
また、前記信号感知部は、指定された場所に予め設けられている通信装置と無線接続されて情報を送受信する近距離無線通信モジュールであり、前記携帯端末が前記通信装置と近距離無線通信モジュールの接続可能範囲内に進入すると、前記フラッシュが作動されて前記発光アクセサリーが光る。
【００１３】
また、前記近距離無線通信モジュールは、ビーコン（Ｂｅａｃｏｎ）モジュールまたはワイファイ（ＷｉＦｉ）通信モジュールである。
【００１４】
また、前記信号感知部はＧＰＳ受信モジュールであり、前記携帯端末が予め指定された位置に到達すると、前記フラッシュが作動されて前記発光アクセサリーが光る。
【００１５】
また、本発明の携帯端末用アクセサリー発光システムは、前記携帯端末に設けられている応用ソフトウェア（ａｐｐｌｉｃａｔｉｏｎ  ｓｏｆｔｗａｒｅ）と連動して前記フラッシュを作動させる制御部と、及び前記フラッシュの作動によって光る発光アクセサリーから成る。
【００１６】
また前記応用ソフトウェアはアラムまたは携帯端末状態情報報知ソフトウェアであり、前記制御部はアラム設定または携帯端末状態情報に合わせて前記フラッシュを作動させる。
【００１７】
また前記応用ソフトウェアは音楽再生ソフトウェアまたはゲームであり、前記制御部は携帯端末から再生される音楽やゲーム状況に応じてフラッシュを点滅させる。
【００１８】
また前記制御部は前記フラッシュの点滅速度を調節して前記発光アクセサリーの発光パターンを変更する。
【発明の効果】
【００１９】
本発明に係る携帯端末用発光アクセサリーは、携帯端末のフラッシュを利用して別途の光源及び電源を必要とせず、簡単な構造で且つ生産費用も低い。
また、携帯端末の種類に関係なく携帯端末との結合及び分離が容易になる。
また、本発明に係る携帯端末用発光アクセサリーはユーザの設定に応じてメッセージを受信したり特定の場所に到着すると発光して報知機能を行なうことができる。
また、本発明に係る携帯端末用発光アクセサリーは携帯端末から再生される音楽に合わせて点滅することができる。
【図面の簡単な説明】
【００２０】
【図１】従来の携帯端末アクセサリーの使用状態を示す斜視図
【図２】従来の携帯端末アクセサリーの構造を示す分解斜視図
【図３】本発明の第１の実施形態に係る携帯端末用発光アクセサリーの斜視図
【図４】本発明の第２の実施形態に係る携帯端末用発光アクセサリーの斜視図
【発明を実施するための形態】
【００２１】
本発明は、携帯端末に着脱可能に結合されて外部の信号、携帯端末の位置などに応じて携帯端末フラッシュの光を利用して発光する携帯端末用発光アクセサリー及び携帯端末用アクセサリー発光システムに関するものであって、別途の光源及び電源を必要とせず、簡単な構造で且つ生産費用が低い。また、携帯端末の種類に関係なく携帯端末との結合及び分離が容易であり、ユーザの設定によってメッセージを受信したり特定の場所に到着すると発光して報知機能を行なうことができる。
【００２２】
以下、本発明の各実施形態に応じて添付された図面を参照して詳細に説明する。
＜第１の実施形態＞
本発明の第１の実施形態による携帯端末用発光アクセサリーは図３に示されたように固定部１１０、発光部１２０及び広告部１３０から成る。図３（ａ）は携帯端末２００と発光アクセサリー１００とが結合された状態を示した斜視図であり、図３（ｂ）は広告部１３０を分離して示した発光アクセサリー１００の斜視図である。
【００２３】
固定部１１０は携帯端末２００に着脱可能に結合されて携帯端末２００の背面に形成されているフラッシュを覆い、発光部１２０は固定部１１０からフラッシュの光が伝達されて光る。前記固定部１１０と発光部１２０は様々な色相の透明または半透明材質で作製され、フラッシュの作動によってフラッシュの光が固定部１１０を介して発光部１２０へ伝達されて発光部１２０が光る。固定部１１０は内部から光が全反射または乱反射される性質を利用して光の一部または全部を発光部１２０へ伝達する。前記固定部１１０はフラッシュの位置に応じて、またはフラッシュの位置と関係なく携帯端末２００の側面、いずれの方向へも結合されることができる。
【００２４】
前記固定部１１０は互いに一体に形成されて携帯端末２００を覆うように折り曲げられて形成された第１の固定部１１１と第２の固定部１１２とから成る。前記第１の固定部１１１はフラッシュを覆い、第２の固定部１１２は携帯端末２００の正面の一部を覆う。また、第１の固定部１１１と第２の固定部１１２は携帯端末２００を弾性的に加圧して携帯端末２００に結合される。一方、第１の固定部１１１には携帯端末２００のカメラレンズが遮られることを防止するために逃避部が形成されることもできる。前述したような構造で成された固定部１１０は、様々な形状及び様々なサイズの携帯端末２００に結合されることもできる。固定部１１０はフラッシュの光を発光部１２０へ伝達しながら携帯端末２００に着脱可能な構造であれば、前述した結合構造の他にも様々な構造で成されることができる。
【００２５】
発光部１２０は固定部１１０から突出形成され、様々な形状で作製されることができる。即ち、発光部１２０は原形、四角形など一般的な形状だけでなく特定のキャラクター形状で形成されてそのもので携帯端末２００の外観を飾ったり個性的に表現することができる。一方、発光部１２０は本実施形態において固定部１１０と一体に形成されるが、固定部１１０と組立て可能な構造から成ってユーザの嗜好及び趣向に合わせて発光部１２０を入れ替えることもできる。また、発光部１２０は回転できるように回転可能な構造から成ることもある。
【００２６】
広告部１３０は、広告のための商標、ロゴ、キャラクターなどが表示されており、発光部１２０に取り付けられる。また、広告部１３０は、特定の絵、文字、数字、写真などが表示される。前記広告部１３０は、本発明の様々な実施形態によって本発明の構成から除外されることもある。
【００２７】
＜第２の実施形態＞
本発明の第２の実施形態による携帯端末用発光アクセサリーは、図４に示されたように固定部１１０、発光部１２０及び広告部１３０から成る。図４において広告部１３０は別途示されておらず、第１の実施形態で説明したように本発明の構成に含まれたり本発明の構成から除外されることができる。
【００２８】
固定部１１０は携帯端末２００に着脱可能に結合されて携帯端末２００の背面に形成されているフラッシュを覆い、発光部１２０は固定部１１０からフラッシュの光が伝達されて光る。前記固定部１１０と発光部１２０は透明または半透明材質で作製され、フラッシュの作動によってフラッシュの光が固定部１１０を介して発光部１２０へ伝達されて発光部１２０が光る。
固定部１１０と発光部１２０は一体に形成されて携帯端末２００を覆うように折り曲げられて形成され、発光部１２０は携帯端末２００の正面の一部を覆って固定部１１０とともに携帯端末２００を弾性的に加圧する。これによって、発光部１２０は携帯端末２００の正面に位置する。
前述した事項以外には第１の実施形態と同一である。
【００２９】
次は、本発明の携帯端末用発光アクセサリーの発光システムについて説明する。
本発明の実施形態によるアクセサリー発光システムは、信号感知部、制御部及び発光アクセサリー１００から成る。
【００３０】
信号感知部は、携帯端末２００に含まれており外部の信号を感知する。制御部は信号感知部が前記信号を感知するとフラッシュを作動させる。発光アクセサリー１００は前述したように透明または半透明材質で作製されてフラッシュの作動によってフラッシュの光に応じて光る。この時、制御部は予め設定された条件に応じてフラッシュの点滅速度を調節して発光アクセサリー１００の発光パターンを変更することもできる。
前記信号感知部は、指定された場所に予め設けられている通信装置と無線接続されて情報を送受信する近距離無線通信モジュールであり、携帯端末２００が通信装置と近距離無線通信モジュールの接続可能範囲内に進入すると、フラッシュが作動されて発光アクセサリー１００が光る。前記近距離無線通信モジュールにはビーコン（Ｂｅａｃｏｎ）モジュール、ワイファイ（ＷｉＦｉ）通信モジュールなどがある。即ち、ビーコンモジュールの場合、通信装置と無線接続されて情報を送受信すると接続信号を制御部へ伝達し、制御部によってフラッシュが作動され、ワイファイ通信モジュールの場合、予め指定されているワイファイ通信網に接続されると接続信号を制御部へ伝達し制御部によってフラッシュが作動される。
【００３１】
また、信号感知部はＧＰＳ受信モジュールになることもできる。これによってＧＰＳ受信モジュールが位置情報を受信し、携帯端末２００が予め指定された位置に到達すると制御部によってフラッシュが作動される。
それだけでなく、携帯端末２００のメッセージ受信などによってフラッシュを作動させて発光アクセサリー１００が光るようにすることもできる。
【００３２】
また、携帯端末用発光アクセサリー１００は携帯端末２００に設けられている応用ソフトウェア（ａｐｐｌｉｃａｔｉｏｎ  ｓｏｆｔｗａｒｅ）と連動して発光することができる。
応用ソフトウェアと連動する発光アクセサリーの発光システムは、携帯端末２００に設けられている応用ソフトウェアと連動してフラッシュを作動させる制御部と、フラッシュの作動に応じて光る発光アクセサリー１００から成る。
【００３３】
応用ソフトウェアは、アラムや携帯端末状態情報報知ソフトウェアであり、制御部はアラム設定または携帯端末状態情報（バッテリー残量、アンテナ受信状態など）に応じてフラッシュを作動させる。
また、前記応用ソフトウェアは音楽再生ソフトウェアであり、前記制御部は携帯端末から再生される音楽に合わせてフラッシュを点滅させる。これによって、携帯端末から音楽を再生すると音楽が出力されると共に音楽に合わせて発光アクセサリー１００が発光する。
この他にも応用ソフトウェアはゲームなど様々な応用ソフトウェアになることができ、制御部は各応用ソフトウェアの特性に応ずるようにフラッシュを点滅させて発光アクセサリー１００が発光するようにできる。
【００３４】
本発明に係る携帯端末用発光アクセサリー及び携帯端末用アクセサリー発光システムは、前述した実施形態に限定されず本発明の技術思想が許容される範囲内で様々に変形して実施することができる。
【符号の説明】
【００３５】
１００：発光アクセサリー 
１１０：固定部
１２０：発光部
１３０：広告部
２００：携帯端末
【図１】
2017525315.tif 000003
【図２】
2017525315.tif 000004
【図３】
2017525315.tif 000005
【図４】
2017525315.tif 000006
【国際調査報告】
2017525315.tif 000007
2017525315.tif 000008
2017525315.tif 000009
2017525315.tif 000010